(57)【要約】【課題】小型化を図るとともに視認性を良好に保つことができる表示装置及び画像形成装置を提供する。【解決手段】被取付け体に対して回転軸を中心に回転可能な表示装置であって、発光源と、表示装置における前面と側面で形成される稜線部に沿った発光領域を有する線状発光部と、発光源から出射した光を線状発光部に導く導光部と、を備え、表示装置の回転位置に応じて線状発光部における発光位置が移動する。発光源は、回転軸の同心円上で線状発光部の線状方向と交差する角度で導光部に対向して配置され、線状発光部と導光部は一体に形成され、導光部の一方の端部から入射して導光された光が導光部の他方の端部から外部に漏れることによって、線状発光部が発光状態となる。【選択図】図６
2018049187.tif 000002
【特許請求の範囲】
【請求項１】
被取付け体に対して回転軸を中心に回転可能な表示装置であって、
発光源と、
前記表示装置における前面と側面で形成される稜線部に沿った発光領域を有する線状発光部と、
前記発光源から出射した光を前記線状発光部に導く導光部と、を備え、
前記表示装置の回転位置に応じて前記線状発光部における発光位置が移動する、
ことを特徴とする表示装置。
【請求項２】
前記発光源は、前記回転軸の同心円上で前記線状発光部の線状方向と交差する角度で前記導光部に対向して配置されている、
ことを特徴とする請求項１に記載の表示装置。
【請求項３】
前記線状発光部と前記導光部は一体に形成され、前記導光部の一方の端部から入射して導光された光が前記導光部の他方の端部から外部に漏れることによって、前記線状発光部が発光状態となる、
ことを特徴とする請求項１又は２に記載の表示装置。
【請求項４】
前記導光部は、前記発光源から離れる前記線状発光部の線状方向に沿って前記線状方向と交差する方向の厚みが漸次薄くなる、
ことを特徴とする請求項１ないし３のいずれか１項に記載の表示装置。
【請求項５】
用紙に画像を形成する画像形成部と、
請求項１ないし４のいずれか１項に記載の表示装置と、を備えた、
ことを特徴とする画像形成装置。
【発明の詳細な説明】
【技術分野】
【０００１】
本発明は、表示装置及び画像形成装置に関する。
【背景技術】
【０００２】
操作表示部が、画像形成条件を設定するための操作部を有し、操作表示部に取付けられ、操作部を画像形成装置の設置面に対して略垂直から略平行までの範囲内で回動する回動部材と、操作部を略垂直から略平行までの複数の角度で固定する固定手段とを有する画像形成装置が知られている（特許文献１）。
【先行技術文献】
【特許文献】
【０００３】
【特許文献１】特開２００６−３４７０９０号公報
【発明の概要】
【発明が解決しようとする課題】
【０００４】
本発明は、小型化を図るとともに視認性を良好に保つことができる表示装置及び画像形成装置を提供することを目的とする。
【課題を解決するための手段】
【０００５】
前記課題を解決するために、請求項１に記載の表示装置は、
被取付け体に対して回転軸を中心に回転可能な表示装置であって、
発光源と、
前記表示装置における前面と側面で形成される稜線部に沿った発光領域を有する線状発光部と、
前記発光源から出射した光を前記線状発光部に導く導光部と、を備え、
前記表示装置の回転位置に応じて前記線状発光部における発光位置が移動する、
ことを特徴とする。
【０００６】
請求項２記載の発明は、請求項１に記載の表示装置において、
前記発光源は、前記回転軸の同心円上で前記線状発光部の線状方向と交差する角度で前記導光部に対向して配置されている、
ことを特徴とする。
【０００７】
請求項３記載の発明は、請求項１又は２に記載の表示装置において、
前記線状発光部と前記導光部は一体に形成され、前記導光部の一方の端部から入射して導光された光が前記導光部の他方の端部から外部に漏れることによって、前記線状発光部が発光状態となる、
ことを特徴とする。
【０００８】
請求項４記載の発明は、請求項１ないし３のいずれか１項に記載の表示装置において、
前記導光部は、前記発光源から離れる前記線状発光部の線状方向に沿って前記線状方向と交差する方向の厚みが漸次薄くなる、
ことを特徴とする。
【０００９】
前記課題を解決するために、請求項５に記載の画像形成装置は、
用紙に画像を形成する画像形成部と、
請求項１ないし４のいずれか１項に記載の表示装置と、を備えた、
ことを特徴とする。
【発明の効果】
【００１０】
請求項１に記載の発明によれば、表示装置の回転位置によらず視認性を良好に保つことができる。
請求項２に記載の発明によれば、表示装置の小型を図るとともに視認性を良好に保つことができる。
請求項３に記載の発明によれば、光の外部への漏れを抑制することができる。
請求項４に記載の発明によれば、発光位置による発光状態の変化を抑制することができる。
請求項５に記載の発明によれば、可動する表示装置を備えた画像形成装置の操作表示部の視認性を良好に保つことができる。
【図面の簡単な説明】
【００１１】
【図１】画像形成装置の全体を示す斜視図である。
【図２】画像形成装置の側面図である。
【図３】表示装置の操作表示部を示す斜視図である。
【図４】（ａ）は表示装置の発光源と線状発光部を示す正面断面模式図、（ｂ）は表示装置の発光源と線状発光部を示す側面断面模式図である。
【図５】（ａ）は表示装置が上方を向いた状態の線状発光部の発光状態を示す断面模式図、（ｂ）は表示装置における線状発光部の発光状態を示す斜視図である。
【図６】（ａ）、（ｂ）は表示装置が前方を向いた状態の線状発光部の発光状態を示す断面模式図、（ｃ）は表示装置における線状発光部の発光状態を示す斜視図である。
【発明を実施するための形態】
【００１２】
次に図面を参照しながら、以下に実施形態を挙げ、本発明を更に詳細に説明するが、本発明はこれらの実施形態に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１３】
（１）画像形成装置の構成
図１は本実施形態に係る画像形成装置１の全体を示す斜視図、図２は画像形成装置１の側面図である。
以下、図面を参照しながら、画像形成装置１の全体構成を説明する。
【００１４】
画像形成装置１は、電子写真方式によって画像を形成する画像形成部１０と、原稿等の読み取りを行う画像読取部２０と、ユーザーインターフェイスとしての表示装置１００とを有する。
【００１５】
表示装置１００は、液晶表示パネル、各種操作ボタン、タッチパネル等を組み合わせて構成され、画像形成装置１の使用者は、表示装置１００を介して各種の設定や指示の入力を行う。また、液晶表示パネルを介して画像形成装置１の使用者へ各種情報を表示する。
【００１６】
表示装置１００は、図２に示すように、画像読取部２０の前面側（操作者側）に、回転軸１２１を回転中心として、画像形成装置１の上方へ向いた位置と前面側へ向いた位置との間で回転し（図２中  矢印参照）、使用者が上方及び前面側のいずれの方向からも操作及び視認できるチルト機構を有している。
【００１７】
（２）表示装置
図３は表示装置１００の操作表示部を示す斜視図、図４（ａ）は表示装置１００の発光源と線状発光部１５０を示す正面断面模式図、（ｂ）は表示装置１００の発光源と線状発光部１５０を示す側面断面模式図である。
【００１８】
（２．１）表示装置の全体構成
図３に示すように、表示装置１００は、本体ハウジング１１０、支持機構１２０、操作表示部１３０、操作部１４１、操作部１４２、線状発光部１５０、前面カバー部材１６０を含むように構成されている。
【００１９】
操作表示部１３０は、液晶ディスプレイ等の表示部にタッチパネルが重合配置されたタッチパネルディスプレイであり、操作画面を表示するとともに、操作者からタッチパネルへの選択操作を受け付ける。
選択操作は、操作画面上に表示された項目を操作画面上で選択する動作いい、操作者の指やタッチペン等を操作画面に接触させて行う操作及び操作者の指等を操作画面に近接させて非接触で行う動作を含む。
【００２０】
操作部１４１、操作部１４２は、操作キー１４１Ａ、操作キー１４２Ａで構成され、操作者の押下操作を受け付けて画像形成装置１に処理の実行を指示する。
【００２１】
線状発光部１５０（図３で網点で表示された範囲）は、表示装置１００の外装を構成する前面カバー部材１６０と本体ハウジング１１０の側面部１１０ａの稜線部に形成され、画像形成装置１の状態を表示するために、表示装置１００の回転位置に応じて発光位置が移動して予め定められた色で発光する。
【００２２】
前面カバー部材１６０の下方には、本体ハウジング１１０内に、操作キー１４１Ａ、操作キー１４２Ａの装着及び操作キー１４１Ａ、操作キー１４２Ａの押下の検知を行う操作キー基板１４３が配置されている。操作キー基板１４３は、操作キー１４１Ａ、操作キー１４２Ａの押下が行われた際に、どの操作キーが押下されたかを電気的に検知し、画像形成装置１の制御部（不図示）に対して通知する機能を持つ。
【００２３】
支持機構１２０は、回転軸１２１、ヒンジ１２３からなり、本体ハウジング１１０を被取り付け体としての画像形成装置１に対して回転可能に支持している。
【００２４】
（２．２）発光部の構成
図４（ａ）、（ｂ）に示すように、本体ハウジング１１０はヒンジ１２３で、回転軸１２１を回転中心ｃ１として回転可能に支持されている。
回転軸１２１の同心円上でヒンジ１２３の外周面１２３ａ上には、発光源の一例としてのＬＥＤ（Light Emitting Diode：発光ダイオード）１４５が配置されている。ＬＥＤ１４５は、画像形成装置１の制御部（不図示）により操作キー基板１４３を介して駆動され、点灯及び非点灯のいずれかの状態となる。
【００２５】
線状発光部１５０は、前面カバー部材１６０と本体ハウジング１１０の側面部１１０ａの稜線部で外部に露出する発光部１５１と、ＬＥＤ１４５から出射する光を受け入れて発光部１５１に導光する導光部１５２からなり、ポリカーボネイト（ＰＣ）等の透明な合成樹脂で形成されている。
線状発光部１５０は、図３に示すように、表示装置１００の側方の稜線部から両隅部（図３において矢視Ａ参照）に回り込むように形成されている。  
【００２６】
導光部１５２は、線状発光部１５０の線状方向の一端側が、ヒンジ１２３の外周面１２３ａ上に配置されたＬＥＤ１４５に対向して、ＬＥＤ１４５から出射する光を受け入れ、発光部１５１に光を導光する。また、導光部１５２は、一端側から線状方向に沿って厚みが漸次薄くなる（図５（ａ）中  Ｌ１、Ｌ２参照）ように形成され、ＬＥＤ１４５から離れた発光位置での発光の強度低下を抑制している。
【００２７】
導光部１５２は、図４（ａ）に示すように、両側面が前面カバー部材１６０の内面側に突出して形成されたリブ１６１と、本体ハウジング１１０の側面部１１０ａで覆われている。これにより、ＬＥＤ１４５から出射する光の外部への漏れを抑制している。
【００２８】
このように構成される線状発光部１５０に対して、図４（ｂ）に示すように、ＬＥＤ１４５は、回転軸１２１の同心円上でヒンジ１２３の外周面１２３ａ上に線状発光部１５０の線状方向と交差する角度で導光部１５２に対向して配置されている。これにより、表示装置１００がヒンジ１２３で回転して前方側を向いた状態でも導光部１５２はＬＥＤ１４５から出射する光を受け入れることができる。
【００２９】
（３）表示装置の発光
図５（ａ）は表示装置１００が上方を向いた状態の線状発光部１５０の発光状態を示す断面模式図、（ｂ）は表示装置１００における線状発光部１５０の発光状態を示す斜視図、図６（ａ）、（ｂ）は表示装置１００が前方を向いた状態の線状発光部１５０の発光状態を示す断面模式図、（ｃ）は表示装置１００における線状発光部１５０の発光状態を示す斜視図である。
【００３０】
図５（ａ）に示すように、表示装置１００が上方を向いた状態では、ＬＥＤ１４５から出射した光は、導光部１５２のヒンジ１２３近傍から入射し、発光部１５１のヒンジ１２３近傍から出射する。そのために、線状発光部１５０は、図５（ｂ）に示すように、表示装置１００の側面１００ａと下面１００ｂが交差する角部を中心に発光し、操作者は、画像形成装置１の前方から、画像形成装置１の状態を確認することができる（図５（ｂ）において網点で表した領域Ａ参照）。
【００３１】
図６（ａ）、（ｂ）に示すように、表示装置１００がヒンジ１２３で回転して前方側を向いた状態では、ＬＥＤ１４５は、回転軸１２１の同心円上でヒンジ１２３の外周面１２３ａ上に固定されているために、出射方向は変化しない。
一方、導光部１５２は、本体ハウジング１１０とともに回転して、線状発光部１５０の線状方向は、回転角度に応じて鉛直方向に向くようになる。
【００３２】
そのために、ＬＥＤ１４５から出射した光は、線状発光部１５０の線状方向に沿ったＬＥＤ１４５から離れた位置で導光部１５２に入射して、発光部１５１のヒンジ１２３より離れた位置から出射する。
【００３３】
本実施形態において、図６（ａ）は表示装置１００が水平方向に対して約７０度回転した状態を示し、図６（ｂ）は表示装置１００が水平に対して約８５度回転した状態を示している。図６（ａ）、（ｂ）に示すように、線状発光部１５０は、表示装置１００の前面カバー部材１６０と本体ハウジング１１０の側面部１１０ａの稜線部が表示装置１００の回転角度に応じて発光位置が移動して発光することになる（図６（ｃ）において網点で表した領域Ｂ、矢印Ｒ参照）。
その結果、操作者は、画像形成装置１の前方側から、表示装置１００の回転位置によらず、画像形成装置１の状態を確認することができる。
【００３４】
表示装置１００においては、線状発光部１５０が表示装置１００の側方の稜線部から両隅部（図３において矢視Ａ参照）に回り込むように形成されている。発光源としてのＬＥＤ１４５は、回転軸１２１の同心円上でヒンジ１２３の外周面１２３ａ上に線状発光部１５０の線状方向と交差する角度で導光部１５２に対向して配置されている。
そのために、表示装置１００の回転位置に応じて、線状発光部１５０における発光位置が移動して発光し、表示装置１００の回転位置に拘わらず、操作者からの視認が可能となる。
【００３５】
以上、本発明の実施形態として、具体例を挙げて説明したが、被取り付け体としては画像形成装置に限らず、チルト機構を有するカーナビゲーション装置等の表示部に適用することもできる。
【符号の説明】
【００３６】
１・・・画像形成装置
１０・・・画像形成部
２０・・・画像読取部
１００・・・表示装置
１１０・・・本体ハウジング
１２０・・・支持機構
１２１・・・回転軸
１２３・・・ヒンジ
１３０・・・操作表示部
１４１、１４２・・・操作部
１４１Ａ、１４２Ａ・・・操作キー
１４３・・・操作キー基板
１４５・・・ＬＥＤ
１５０・・・線状発光部
１５１・・・発光部
１５２・・・導光部
１６０・・・全面カバー部材
【図１】
2018049187.tif 000003
【図２】
2018049187.tif 000004
【図３】
2018049187.tif 000005
【図４】
2018049187.tif 000006
【図５】
2018049187.tif 000007
【図６】
2018049187.tif 000008